(57)【要約】【課題】  ランセット針がバイオセンサチップに固定されたランセット針一体型のセンサデバイスにおいて、指先から出血させた血液をセンサチップ内の試料空間に十分に導入させる。【解決手段】  バイオセンサチップ１００と、前記バイオセンサチップ１００の片端部に固定されたランセット針２００を有する針一体型センサ体２０を着脱可能に装着するセンサデバイス１において、穿刺対象面を押し当てることによって密閉空間（穿刺機構室５１）を形成し、当該穿刺機構室５１内において前記センサ体２０を穿刺対象面に衝突させる穿刺機構（駆動バネ３１）と、密閉された穿刺機構室３１を減圧する減圧機構部６０とを備え、減圧機構の駆動によって穿刺機構室５１を減圧し、前記バイオセンサチップ１００の試料導入口１０１から試料空間１３０内に試料を誘導する。【選択図】  図３
2008206721.tif 000002
【特許請求の範囲】
【請求項１】
バイオセンサチップと、前記バイオセンサチップの片端部に固定されたランセット針を有する針一体型センサ体を着脱可能に装着するセンサデバイスであって、
穿刺対象面を押し当てることによって密閉空間を形成し、当該密閉空間内において前記センサ体を穿刺対象面に衝突させる穿刺機構と、
密閉された前記密閉空間を減圧する減圧機構とを備え、
減圧機構の駆動によって前記密閉空間を減圧し、前記バイオセンサチップの試料導入口から試料空間内に試料を誘導することを特徴とするセンサデバイス。
【請求項２】
前記密閉空間を保持した状態で、試料空間内への試料が導入されたことを検知する検知機構と、
当該検知機構と連動して、穿刺機構室内を大気圧に開放する減圧開放機構を備えたことを特徴とする請求項１に記載のセンサデバイス。
【請求項３】
前記減圧機構はピストン機構と当該ピストン機構を駆動するバネ機構を備え、前記ピストン機構を構成するシリンダ室とからなることを特徴とする請求項１又は２の何れか一の請求項に記載のセンサデバイス。
【請求項４】
前記穿刺機構はバネ機構からなることを特徴とする請求項１〜３の何れか一の請求項に記載のセンサデバイス。
【請求項５】
前記バイオセンサチップは、板部材からなるカバーと基板とによって構成され、カバーと基板との間に試料と試薬層が反応する試料空間を備えたことを特徴とする請求項１〜４のいずれか一の請求項に記載のセンサデバイス。
【発明の詳細な説明】
【技術分野】
【０００１】
本発明は、センサデバイス、具体的にはバイオセンサチップとランセット針が一体になったランセット針一体型のセンサ体を装着するのに適したセンサデバイスに関する。
【背景技術】
【０００２】
患者自身で血液採取用のランセット装置を用いて血液採取を行い、採取した血液中の血糖値等を測定することが行われている。ランセット装置は、一般には穿刺針などのランセット針とこれを駆動するためのランセット本体とからなり、ランセット針をランセット本体から勢いよく飛び出させて指先等に衝突させ、指先等に傷を付けて出血させる装置である。
【０００３】
従来、血糖値などの測定はこのようなランセット装置と、それと別体となった測定装置を用いて行われてきたが、近年、バイオセンサとランセット装置を組み合わせ、両者を一体にして血液採取から測定までを一度の操作で行えるようにしたランセット針一体型センサデバイスが提案されている。
【０００４】
例えば特許文献１に記載されたセンサデバイスは、内部空間を有するチップ本体とランセット針を備えたランセット体及びチップ本体を装着するデバイス本体とから構成されている。ランセット体はチップ本体の内部空間内を移動可能に作製されている。ランセット体はチップ本体内に収納された後、デバイス本体にセットされ、デバイス本体内の駆動装置によってランセット針の先端がチップ本体先端に開設された試料導入口から突出されるように構成されている。
【０００５】
チップ本体は、内部空間を構成するための凹所を備えた基板とバイオセンサが構成されたカバーとからなる。カバーの内面には、バイオセンサを構成する１対の電極と当該電極と配線で接続された端子部が設けられている。電極は試料導入口から内部空間に延びる溝状の試料空間に臨ませるように設けられており、当該電極と当該電極の表面に塗布された試薬層とによってバイオセンサが構成されている。
【０００６】
ところが、このセンサデバイスは、基板とカバーの間の試料空間内において針を移動させ、チップ本体の先端にある試料導入口から血液を試料空間内に導入する構造であるために、チップ本体の厚みが大きくなる。また、試料導入口は比較的大きく、それに伴い多くの血液量を必要とするので、患者への痛みが相当大きなものとなっていた。
【０００７】
その一方で、非常に小型でかつ簡単な方法で量産可能なセンサチップが開発されている。特許文献２に示すバイオセンサチップは、図５に示すバイオセンサチップとほぼ同様な構造をしており、絶縁性のある板部材を折り曲げることでカバーと基板とを形成し、両者を接着剤層によって接着することによりチップの先端に試料導入口を形成すると共に両者の間に血液を導入する試料空間を形成している。そして、板部材にはスパッタリングなどの方法によって電極と、当該電極と配線で結ばれた電極が形成されており、試料導入口近傍に設けられた電極と当該電極の表面及びその近傍に塗布された試薬層とによってバイオセンサが構成されている。このセンサチップは板部材が貼り合わせられた構造であるため、非常に薄くて小型に作製され、必要とされる血液量は少なくなり、患者への肉体的負担がかなり軽減されることが期待される。
【０００８】
【特許文献１】国際公開公報ＷＯ０２／０５６７６９号
【特許文献２】国際公開公報ＷＯ０５／０１０５１９号
【発明の開示】
【発明が解決しようとする課題】
【０００９】
ところで針のようなランセット針とバイオセンサチップとを一体にする場合、血液がバイオセンサチップの試料導入口から試料空間に導入されるためには、試料導入口に血液が十分に行き渡る必要がある。ところが、特許文献２のような薄型のバイオセンサチップを用いて一体型にする場合、試料空間から試料導入口において、皮膚に穿刺可能な剛性を有する針（つまり、ある程度の太さが必要である）を挿通して、特許文献１記載のセンサチップのように試料導入口から針先を飛び出させ、その後再び試料空間内に納める構造とすることは実現性に乏しい。
【００１０】
そこで、特許文献２に記載されたバイオセンサチップのカバー上面若しくは基板下面に針を固定することが考えられる。しかしながら、このバイオセンサチップの試料導入口は非常に狭いので、針を伝わった血液が試料導入口に接触しただけでは、試料空間に血液が十分に入り込まないおそれがある。また、試料導入口は針先（針の軸）から離れた位置にあるために、出血した血液が針を伝わって試料導入口に行き渡らないというおそれもある。
【００１１】
その一方で、折り曲げられた板部材の間に針を挟み込むように固定することも考えられる。この場合、試料導入口から針が飛び出る構造となるため、バイオセンサチップの上面（若しくは下面）に固定する場合に比べて血液を誘導しやすいとも考えられる。しかしながら、針が指先から抜かれるとセンサチップもそれと共に指先から離れるので、やはり出血した血液が試料導入口に血液が十分に行き渡らないことになる。そして、試料導入口に針を挿通させるためには、板部材を厚くする必要があるために、センサチップが大きくならざるを得ず、採取する血液量を十分に少なくできなくなるという問題も考えられた。
【００１２】
本発明は上記の背景技術に鑑みてなされたものであって、本発明は、穿刺針などのランセット針がバイオセンサチップに固定されたランセット針一体型となったセンサ体を装着するセンサデバイスにおいて、センサチップを減圧環境下に置くことによって、血液を効率よく試料空間に導入することをその目的としている。
【課題を解決するための手段】
【００１３】
すなわち、本発明のセンサデバイスは、バイオセンサチップと、前記バイオセンサチップの片端部に固定されたランセット針を有する針一体型センサ体を着脱可能に装着するセンサデバイスであって、穿刺対象面を押し当てることによって密閉空間を形成し、当該密閉空間内において前記センサ体を穿刺対象面に衝突させる穿刺機構と、密閉された前記密閉空間を減圧する減圧機構とを備え、減圧機構の駆動によって前記密閉空間を減圧し、前記バイオセンサチップの試料導入口から試料空間内に試料を誘導することを特徴としている。
【発明の効果】
【００１４】
本発明によると、指先等の穿刺対象面に衝突した後において、バイオセンサチップが減圧下に置かれるので、穿刺対象面から流れ出た試料たる体液が試料空間内に誘導されやすくなる。従って、特許文献２に開示されたような薄型で小型のバイオセンサチップを用いても良好な測定が行える。すなわち、少量の血液で測定が可能になる。
【発明を実施するための最良の形態】
【００１５】
以下、本発明について添付の図面を参照しながら具体的に説明する。図１は本発明のセンサデバイス１の概略斜視図、図２、図３はランセット針一体型のセンサ体２０を装着したセンサデバイス１の概略断面構造図であって、図２は図１のＡ−Ａ´線における断面構造図、図３は図１のＢ−Ｂ´線における断面構造図、図４は当該センサデバイス１に装着されたセンサ体２０を一部破断した概略斜視図、図５はセンサ体２０を構成するセンサチップ１００の概略斜視図、図６はセンサ体２０の一部を拡大した概略説明図、図７は本発明のセンサデバイス１の動作説明図である。
【００１６】
本発明のセンサデバイス１は、センサチップ１００とランセット針２００を備えたセンサ体２０を着脱可能に装着するデバイス本体１０を有する。センサ体２０は、センサチップ１００とランセット針２００が一体に構成されたセンサ本体３０とデバイス本体１０に装着するためのセンサボディ４０とから構成されている。センサ本体３０は、皮膚に傷を付け出血させるための針や小型の刃物状物であるランセット針２００とセンサチップ１００が固定部材１５０と支持部材１６０によって一体化されたものである。そして、センサ体２０はいわゆるディスポーザブル製品として提供される。
【００１７】
センサチップ１００は、図５に示すように、絶縁性を有する板部材であるカバー１２０と基板１１０の間で試料空間１３０を形成するようにカバー１２０と基板１１０とが接着剤層１４０で貼り合わせられた構造をしており、センサチップ１００の先端には試料空間１３０に繋がる試料導入口１０１が開設されている。また、試料空間１３０の後端には、試料空間１３０とセンサチップ１００の外部と繋がった通気孔１４１がその両側に延設されている。
【００１８】
基板１１０には、試料空間１３０に臨ませて一対の電極１１１が形成されている。そして、試料導入口１０１と反対側にある基板端部には、前記電極１１１と導体で電気的に接続された電圧取り出し用の端子１１２が形成されている。カバー１２０には、試料空間１３０に臨ませて試料（具体的には血液等の体液）と反応する試薬層１２１が設けられている。この一対の電極１１１と試薬層１２１によってバイオセンサが構成されている。また、試料空間１３０の後端に望ませて、試料空間１３０に導入された試料を検出する液落検知回路用の電極１１３が基板に形成され、電圧取り出し用端子１１２の近傍に形成された電圧取り出し用の端子１１４と電気的に導通している。このようなセンサチップ１００としては、例えば前記特許文献２に記載されたような板部材が折り曲げられて基板とカバーとが作製されたチップが例示される。もっとも、本発明においては、特許文献２に示された構造のものでなくても差し支えなく、基板１１０とカバー１２０との間に試料導入口１０１が備えられ、その試料導入口１０１から試料を導入する構造のものであれば適用が可能である。
【００１９】
ランセット針２００はセンサチップ１００のカバー１２０上に配置され、固定部材１５０と支持部材１６０によって挟まれてセンサチップ１００に固定されている。ランセット針２００は、皮膚に傷を付けるべくセンサチップ１００の先端からランセット針２００の先端を突出させて固定されている。また、皮膚から出た体液が速やかに試料導入口１０１に誘導されるように、ランセット針２００の軸がほぼ試料空間１３０の配設方向とほぼ平行になるように配置され、当該軸が試料導入口１０１に近接、好ましくは試料導入口１０１の真上に位置するように配置されている。
【００２０】
支持部材１６０はセンサチップ１００の下面からセンサチップ１００を保持する機能を有しており、例えばプラスチック材料などから作製される。固定部材１５０はセンサチップ１００の上面からセンサチップ１００を保護する機能を有しており、例えばプラスチック材料などから作製される。また、固定部材１５０はランセット針２００を固定する機能も有しており、その下面にはランセット針２００を固定するための切り欠き（図示せず）が形成されている。もちろん、固定部材１５０と支持部材１６０を一体成形することもできる。
【００２１】
このセンサ本体３０は、例えば図４に示すような略筒状をしたセンサボディ４０に装着される。センサボディ４０は、デバイス本体１０への装着用に用いられるものであって、その内部には、センサチップ１００の端子１１２とデバイス本体１０の測定回路（図示せず）及び端子１１４と液絡検知回路（図示せず）を電気的に接続するためのコネクタ４１を備えている。また、センサボディ４０の後端側には、ボディ先端側に比べて外径が小さくなった筒状の駆動バネ装着部４２が設けられている。駆動バネ装着部４２の筒内部はセンサボディ４０の先端に向かって径が細くなったテーパ状のセンサ体保持部４３となっており、センサ体２０を装着するための保持機構の一部を構成している。
【００２２】
デバイス本体１０は、穿刺対象面を押し当てることによって密閉空間を形成し、当該密閉空間内においてセンサ体２０を穿刺対象面に衝突させる穿刺機構部５０と、当該密閉空間内を減圧する減圧機構部６０、センサチップ１００で生じた起電圧から測定値に変換する変換回路や測定値を表示するための表示機構（図示せず）、試料空間１３０内に試料が導入されたことを検知する液絡検知回路（図示せず）などを備えている。
【００２３】
穿刺機構部５０は先端が筒状に作製された穿刺機構室５１とセンサ体２０を穿刺対象面に衝突させる穿刺機構とを備えている。穿刺機構室５１は、指先などの穿刺対象面を先端の開口１６に押し当てることによって、密閉空間を形成する。穿刺機構は例えばバネ機構からなり、センサ体２０の後部に装着される駆動バネ３１と、駆動バネ３１を圧縮した状態で保持するとともに駆動ボタン１１によって保持状態を解除する保持機構とから構成される。駆動バネ３１はその一端が穿刺機構室５１の後壁面５２に固定されており、センサ体２０の駆動バネ装着部４２を駆動バネ３１の他端側から挿入できるようになっている。
【００２４】
保持機構は、密閉空間内において駆動バネ３１を圧縮した状態で保持し、ボタン操作などによって保持状態を解除し、センサ体２０を穿刺対象面に衝突させる機構であればその構成はどのようなものであってもよい。図示するものでは、連接部材４４に設けられたフック固定用の凹所４５と駆動ボタン１１と連動するフック部材４６及び保持バネ４７並びに連接部材４４に前方に向けて突設された保持部材４９並びにセンサ体保持部４３とからなる。駆動ボタン１１は保持バネ４７によって上方に付勢されており、フック部材４６の先端に設けられたフック４８を凹所４５に係止させている。保持部材４９は、先が細くなった円錐台状に作製されており、センサ体保持部４３（駆動バネ装着部４２の筒内）に挿入されることにより駆動バネ３１を圧縮した状態で保持する。また、連接部材４４が前方に押し出されることによって保持部材４９（若しくは駆動バネ装着部４２の後端面が当接された連接部材４４）がセンサ体２０を前方に押し出し、駆動バネ３１を開放する。
【００２５】
また、このセンサデバイス１においては、穿刺状態、つまり、センサ体２０が穿刺対象面に衝突した状態においても密閉空間内を減圧状態に維持するために、穿刺状態において駆動バネ装着部４２を穿刺機構室５１の後壁面５２に開設した開口５３からわずかに後方に飛び出させてある。そして、開口５３には図示しないフッ素樹脂などからなるＯリングが備えられており、穿刺機構室５１の気密性と駆動バネ装着部４２の滑り性が確保されている。
【００２６】
減圧機構部６０は、穿刺機構室５１を減圧状態にし、穿刺後に放出された体液を試料導入口１０１から試料空間１３０に導入する機能を果たす。すなわち、本発明は、バイオセンサチップ１００全体を減圧下に置くことによって通気孔１４１から試料空間１３０内の大気を排出し、そこに体液を速やかに送り込むことにしたものである。このような機能を果たす機構であれば具体的な構成は問われるものではなく、例えばエアダンパが用いられる。図示する減圧機構部６０の減圧機構は、気密状態を形成できる筒状のシリンダ室６１とシリンダ室６１内に収納されたピストン６２及びピストン６２を駆動するピストンバネ６３並びにピストンバネ６３を圧縮した状態で保持するとともに駆動ボタン１１によって保持状態を解除するピストン保持機構とから構成されている。シリンダ室６１は、例えばシリンダ室６１基端に設けられた連通孔６４を介して穿刺機構室５１と連通しており、穿刺機構室５１と一体になって気密状態が担保される。また、シリンダ室６１の基端には、シリンダ室６１内を大気圧に開放する電磁弁６５が備えられている。この電磁弁６５は液絡検知回路により制御されており、試料空間１３０内に試料が導入されたことが検知されると電磁弁６５が開放される。すなわち、電磁弁６５が閉じられた状態においては、穿刺機構室５１の先端開口１６を指先等の穿刺対象面で塞ぐことによって、穿刺機構室５１とシリンダ室６１が気密状態に担保される。また、電磁弁６５が開放されると、そこから空気が入り、穿刺機構室５１とシリンダ室６１が大気圧に開放される。また、ピストンロッド６６を挿通させたシリンダ室６１の後壁面６７の開口には、図示しないフッ素樹脂などからなるＯリングが備えられており、シリンダ室６１の気密性とピストンロッド６６の滑り性が確保されている。
【００２７】
ピストン６２はシリンダ室６１に収容され、ピストンバネ６３の復元力によってシリンダ室６１の空間を広げるようにピストンバネ６３によって付勢されている。ピストン保持機構は、ピストン６２の後端側に備えられたピストンロッド６６と、当該ピストンロッド６６の一端が固定された連接部材４４に設けられたフック固定用の凹所４５と駆動ボタン１１と連動するフック部材４６及び保持バネ４７とからなる。すなわち、ピストンバネ６３の保持機構と駆動バネ３１の保持機構は同時に作動する仕組みになっており、駆動ボタン１１を押下することによって、圧縮されていたピストンバネ６３と駆動バネ３１は自然な状態へと復元する。この結果、保持部材４９の先端がセンサ体保持部４３を押し、駆動バネ３１が復元してセンサ体２０が穿刺対象面に向けて勢いよく飛び出る。また、それとともに、気密状態下において、シリンダ室６１の空間が広がる結果、シリンダ室６１に負圧が生じ、穿刺機構室５１（及びシリンダ室６１）内が減圧される。
【００２８】
このとき、例えばピストンバネ６３の復元力を駆動バネ３１の復元力よりも弱く設定するなどして、穿刺機構室５１が緩やかに減圧されるようにすることが望ましい。つまり、センサ体２０を勢いよく飛び出させて穿刺対象面にランセット針２００を衝突させることが必要とされる一方、減圧機構部６０はエアダンパのように緩やかにピストン６２を駆動し、徐々に負圧を発生させることが望まれる。そうではなく、駆動バネ３１と同じような復元力でピストン６２を駆動すれば、急激に負圧が発生することになり、一度に多量の体液が試料空間１３０内に流れることになる。この結果、試料空間１３０に気泡が入って測定不良を生じたり、被験者への負担つまり出血時の痛みが増大したりするおそれが強くなる。
【００２９】
ピストンロッド６６と保持部材４９が固定された連接部材４４は、デバイス本体１０の左右側面に飛び出たロック用レバー１４と連動している。すなわち、ロック用レバー１４を動かすことによって、ピストンバネ６３が圧縮され、連接部材４４の凹所４５にフック４８が係止される。また、保持部材４９が後方に下がり、センサ体２０を穿刺機構部５０に装着することによって、駆動バネ３１を圧縮した状態でセンサ体２０がデバイス本体１０にセットされる。
【００３０】
次に、本発明のセンサデバイス１の動作について図７の動作説明図に基づいて説明すると、以下のとおりである。まず、図７（ａ）に示すように、ピストンバネ及び駆動バネが復元した自然な状態にあるセンサデバイス１において、ロック用レバー１４を後方に引き、ピストンバネ６３を圧縮して、連接部材４４の凹所４５に保持機構のフック４８を係止する。そして、センサ体２０を穿刺機構室５１の先端開口１６から挿入し、センサ体保持部４３に保持部材４９を挿入して駆動バネ３１を圧縮しながら、センサ体２０をデバイス本体１０にセットする（図７（ｂ））。センサ体２０がデバイス本体１０にセットされると測定回路がオンとなる。この状態では、電磁弁６５は開かれた状態であって、穿刺機構室５１及びシリンダ室６１は大気圧となっている。そして、同図（ｃ）に示すように、穿刺機構室５１の先端開口１６に指先Ｍを押し当てて開口１６を塞いだ状態で、駆動ボタン１１を押下する。すると、電磁弁６５が閉じられ密閉空間が構成されると共に係止状態が解かれ、ピストンバネ６３の復元力によって連接部材４４が前方に引き寄せられ、保持部材４９（若しくは連接部材４４）がセンサ体２０を押し出す。センサ体２０が押し出されると駆動バネ３１が復元して、その復元力によってセンサ体２０が勢いよく前方に飛び出し、ランセット針２００が指先Ｍに突き刺さる。また、駆動ボタン１１の押下により電磁弁６５が閉じられているので、ピストンバネ６３が復元するに連れて穿刺機構室５１が徐々に減圧される。そうすると、穿刺箇所から血液が流れだし、その血液はランセット針２００を伝わって、試料導入口１０１から排気された試料空間１３０内に誘導される。そして、試料空間１３０内に血液が充満すると、液絡検知回路がオンされて電磁弁６５が開放される。その後、指先Ｍを開口１６から離し、センサ体２０をデバイス本体１０から取り出して測定を終える。また、センサ体２０がデバイス本体１０から取り外されると測定回路がオフになり、取り外されたセンサ体２０は廃棄される。
【００３１】
このように、本発明のセンサデバイス１においては、穿刺対象面に穿刺したセンサチップ１００を減圧下に置くことによって、センサチップ１００に設けられた試料空間１３０内に穿刺箇所から出た体液を速やかに誘導している。この結果、特許文献２に示されたような非常に小型化されたセンサチップ１００を用いて正確な測定が行えるようになる。従って、極めて少量の採血量で検査ができ、患者への痛みも軽減される。特に、上記デバイス１においては液絡回路によって電磁弁６５が制御されており、必要な量が採血されると穿刺機構室５１を大気圧に開放する減圧開放機構を備えているので、必要以上の体液（血液）の採取が防止される。また、測定値が表示される前に採血が完了したことを指先等で感じとることができ、採血が良好にできたかどうか使用者の不安を取り除くこともできる。
【００３２】
上記実施形態においては、上面にランセット針２００を配置したセンサチップ１００を用いた場合について説明したが、例えば図８に示すように、板部材からなるカバー１２０と基板１１０との間にランセット針２００を挟み、カバー１２０と基板１１０の間に形成された試料導入口１０１内にランセット針２００の軸を位置させたセンサチップ１００を用いることもできる。また、下面にランセット針３００を配置することもできる。
【００３３】
もちろん、本発明は上記の実施形態に限定されるものではなく、種々の実施形態が考えられる。例えば、センサ体２０を構成するセンサボディ４０は必須の構成要件ではなく、ランセット針２００が一体に構成されたセンサ本体３０を直接デバイス本体１０に直接取り付けるようにしてもよい。また、センサ体２０を皮膚に衝突させる穿刺機構として、圧縮空気を利用した穿刺機構やモータの回転力を用いた穿刺機構を用いることもでき、押下ボタンを押すと同時にこうした穿刺機構やエアダンパなどの減圧機構を駆動させるようにしてもよい。
【００３４】
さらに、上記において説明したように減圧機構を本体内に組み込むことによって、一体型のデバイスとすることもできるが、本発明においては必ずしも減圧機構部を本体内に組み込む必要はなく、本体外に減圧機構部を構成し、例えば排気用のチューブ等を用いて穿刺機構室を減圧するように構成しても差し支えない。
【産業上の利用可能性】
【００３５】
本発明によると、患者への肉体的負担を軽減可能にした測定装置が提供される。この測定装置では、少ない採血量でも確実に測定が行えるので、非常に小型のバイオセンサチップを用いることができる。また、センサデバイス自体も小型化され、持ち運びにも好都合なセンサデバイスが提供される。
【図面の簡単な説明】
【００３６】
【図１】本発明のセンサデバイスの概略斜視図である。
【図２】センサ体を装着したセンサデバイスの概略断面構造図であって、図１のＡ−Ａ´線における概略断面構造図である。
【図３】センサ体を装着したセンサデバイスの概略断面構造図であって、図１のＢ−Ｂ´線における概略断面構造図である。
【図４】センサデバイスに装着されたセンサ体の一部を破断した概略斜視図である。
【図５】センサ体を構成するセンサチップの概略斜視図である。
【図６】センサ体の一部を拡大した概略説明図であって、（ａ）はその正面説明図、（ｂ）はその断面説明図である。
【図７】本発明のセンサデバイスの動作説明図である。
【図８】別な実施形態であるセンサ体の一部を拡大した概略説明図であって、（ａ）はその正面説明図、（ｂ）はその断面説明図である。
【符号の説明】
【００３７】
１  センサデバイス
１０  デバイス本体
１１  駆動ボタン
１４  ロック用レバー
１６  デバイス本体先端の開口
２０  センサ体
３１  駆動バネ
４０  センサボディ
４１  コネクタ
４２  駆動バネ装着部
４３  センサ体保持部
４４  連接部材
４５  凹所
４６  フック部材
４８  フック
４９  保持部材
５０  穿刺機構部
５１  穿刺機構室
６０  減圧機構部
６１  シリンダ室
６２  ピストン
６３  ピストンバネ
６４  連通孔
６５  電磁弁
６６  ピストンロッド
１００  センサチップ
１０１  試料導入口
１１０  基板
１２０  カバー
１２１  試薬層
１３０  試料空間
１４０  接着剤層
１４１  通気孔
２００  ランセット針
【図１】
2008206721.tif 000003
【図２】
2008206721.tif 000004
【図３】
2008206721.tif 000005
【図４】
2008206721.tif 000006
【図５】
2008206721.tif 000007
【図６】
2008206721.tif 000008
【図７】
2008206721.tif 000009
【図８】
2008206721.tif 000010